(57)【要約】      （修正有）【課題】組立作業時間を大幅に短縮することができるとともに、分解する場合においても極めて簡単かつ迅速に行うことができる新規な組立式浮き桟橋を提供する。【解決手段】フレームと、このフレームに支持されてなる複数枚の踏板と、これらの踏板の下側に支持された複数のフロートを備え、上記フレームは、内側に第１の踏板挿入支持部２ｆが形成された第１のフレーム部材２と、この第１のフレーム部材２に対向してなり内側に第２の踏板挿入支持部３ｆが形成された第２のフレーム部材３とを有し、上記複数枚の踏板はそれぞれ一端が上記第１の踏板挿入支持部内２ｆに挿入され他端は上記第２の踏板挿入支持部３ｆ内に挿入されて支持されてなる。【選択図】図２
2011241601.tif 000002
【特許請求の範囲】
【請求項１】
フレームと、このフレームに支持されてなる複数枚の踏板と、これらの踏板の下側に支持された複数のフロートと、を備え、
上記フレームは、内側に第１の踏板挿入支持部が形成された第１のフレーム部材と、この第１のフレーム部材に対向してなり内側に第２の踏板挿入支持部が形成された第２のフレーム部材とを有し、上記複数枚の踏板はそれぞれ一端が上記第１の踏板挿入支持部内に挿入され他端は上記第２の踏板挿入支持部内に挿入されて支持されてなることを特徴とする組立式浮き桟橋。
【請求項２】
前記フレームは、前記第１及び第２のフレームに加えて、前記複数枚の踏板の幅方向に位置する第３及び第４のフレーム部材を有してなるとともに、
前記フロートは、一方及び他方のフレートからなり、該一方及び他方のフロートは、上記第１又は第２のフレーム部材若しくは第３又は第４のフレーム部材よりも一部が外側に位置してなることを特徴とする請求項１記載の組立式浮き桟橋。
【請求項３】
前記一方及び他方のフロートは、それぞれ円柱状に成形され、中心には水平方向に長さを有する凹部又は貫通穴が形成されてなるとともに、この凹部又は貫通穴には水平支軸が挿入又は挿通され、該水平支軸を中心に回転可能とされてなることを特徴とする請求項１又は２記載の組立式浮き桟橋。
【請求項４】
前記一方のフロートは前記第３のフレーム部材の下方に位置し、前記他方のフロートは前記第４のフレーム部材の下方に位置してなるとともに、前記第１のフレーム部材の外側面と第２のフレーム部材の外側面には、それぞれ他の組立式浮き桟橋と連結するための接続片が形成されてなることを特徴とする請求項２又は３記載の組立式浮き桟橋。
【発明の詳細な説明】
【技術分野】
【０００１】
本発明は、海上又は水上に係留されて使用される浮き桟橋に関し、特に、使用者等が組み立てて使用するタイプの組立式浮き桟橋に関するものである。
【背景技術】
【０００２】
従来、上述したタイプの組立式浮き桟橋としては、フレームと、このフレームに固定された踏板と、上記踏板の下側に配置された複数のフロートを備えたものが提案されている（特許文献１，２参照）。こうしたこれまでの組立式浮き桟橋は、簡単に組み立てられることを目的としたものである。
【先行技術文献】
【特許文献】
【０００３】
【特許文献１】特開平３−１３６０８号公報
【特許文献２】特開平７−１０８９８２号公報
【発明の概要】
【発明が解決しようとする課題】
【０００４】
しかしながら、上述した組立式桟橋では、未だに簡単に組み立てることはできない。例えば、上記特許文献１に開示された組立式浮き桟橋では、フレームに対して多数枚の踏板を固定する作業は、スクリュー釘を使用するものであることから、作業者は一つ一つのスクリュー釘を打ち込み或いは回転操作しなければならないか、或いは、釘打ち機等の特殊な機械器具を使用しなければならない。また、上記特許文献１に開示された組立式浮き桟橋では、一旦組み立てて使用した後に再び分解することは不能であり、又は相当な作業時間を必要とする。一方、上記特許文献２に開示された組立式桟橋では、上記特許文献１のように、釘を使用するものではないが、一枚一枚のフロアパネルはボルトとナットを互いに締結することにより固定するものであるため、多数枚のフロアパネルを固定するためには相当な作業時間が必要となるし、分解することは可能ではあるがやはり相当な作業時間を必要とする。
【０００５】
そこで、本発明は、上述した従来の組立式浮き桟橋が有する課題を解決するために提案されたものであって、組立作業時間を大幅に短縮することができるとともに、分解する場合においても極めて簡単かつ迅速に行うことができる新規な組立式浮き桟橋を提供することを目的とするものである。
【課題を解決するための手段】
【０００６】
本発明は、上記の課題を解決するために提案されたものであって、第１の発明（請求項１記載の発明）は、フレームと、このフレームに支持されてなる複数枚の踏板と、これらの踏板の下側に支持された複数のフロートと、を備え、上記フレームは、内側に第１の踏板挿入支持部が形成された第１のフレーム部材と、この第１のフレーム部材に対向してなり内側に第２の踏板挿入支持部が形成された第２のフレーム部材とを有し、上記複数枚の踏板はそれぞれ一端が上記第１の踏板挿入支持部内に挿入され他端は上記第２の踏板挿入支持部内に挿入されて支持されてなることを特徴とするものである。
【０００７】
上記第１の発明では、複数枚の踏板は、それぞれ一端が上記第１のフレーム部材の内側に形成された第１の踏板挿入支持部内に挿入され、他端は上記第２のフレーム部材の内側に形成された第２の踏板挿入支持部内に挿入されて支持されてなり、前述した特許文献１や特許文献２に係る組立式浮き桟橋のように、踏板（フロアパネル）がスクリュー釘やボルトとナットを使用して固定されているものではないことから、組立作業時間を大幅に短縮することができるとともに、分解することも可能となるばかりか、該分解作業を極めて簡単かつ迅速に行うことができる。
【０００８】
なお、上記踏板は、使用者が乗ることができる平面状の部位を形成するものであれば、その素材や形状等は特に限定されるものではなく、また、上記第１及び第２のフレーム部材も、少なくとも上記複数枚の踏板の端部が挿入される第１又は第２の踏板挿入支持部が形成されているものであれば、その素材や形状は限定されるものではない。
【０００９】
また、第２の発明（請求項２記載の発明）は、上記第１の発明において、前記フレームは、前記第１及び第２のフレームに加えて、前記複数枚の踏板の幅方向に位置する第３及び第４のフレーム部材を有してなるとともに、前記フロートは一方及び他方のフレートからなり、該一方及び他方のフロートは、上記第１又は第２のフレーム部材若しくは第３又は第４のフレーム部材よりも一部が外側に位置してなることを特徴とするものである。
【００１０】
この第２の発明では、フレームは、第１ないし第４のフレーム部材を備えてなるとともに、一方及び他方のフロートは、上記第１又は第２のフレーム部材若しくは第３又は第４のフレーム部材よりも一部が外側に位置してなることから、水上に浮かせた場合において安定性を向上させることができる。
【００１１】
なお、上記一方のフロートや他方のフロートの形状は、特に限定されないが、少なくともこれら一方及び他方のフロートの一部が上記第１ないし第４のフレームの外側に位置してなるものであれば良い。すなわち、この第２の発明では、組立式浮き桟橋の平面視において、上記一方及び他方のフロートの一部が目視可能なものであれば良い。なお、より水上に浮かせた際の安定性を向上させるためには、一方及び他方のフロートの中心が上記第１ないし第４のフレームの下方に位置させ、さらには、該一方及び他方のフロートの中心が上記第１ないし第４のフレームの下方よりも外側に位置させたものであっても良い。
【００１２】
また、第３の発明（請求項３記載の発明）は、上記第１又は第２の発明の何れかにおいて、前記一方及び他方のフロートは、それぞれ円柱状に成形され、中心には水平方向に長さを有する凹部又は貫通穴が形成されてなるとともに、この凹部又は貫通穴には水平支軸が挿入又は挿通され、該水平支軸を中心に回転可能とされてなることを特徴とするものである。
【００１３】
上記第３の発明では、それぞれ円柱状に成形された一方及び他方のフロートは、上記水平支軸を中心に回転可能とされてなることから、地上で組み立てた組立式浮き桟橋を水上まで移動させる際、或いは、水上に設置した該組立式浮き桟橋を地上に移動させる際、地上に支持された一方及び他方のフロートは、例えば上記フレームを海又は池若しくは川方向又はその逆方向に押圧すると、地面（例えば、砂浜、堤防等）上を転動することとなる。したがって、この完成したこの組立式浮き桟橋を水上に浮かべる際や水上に浮かせた浮き桟橋を地上で分解させるために地上を移動させる際、多数の作業人員を要しない。
【００１４】
また、第４の発明（請求項４記載の発明）は、上記第２又は第３の発明の何れかにおいて、前記一方のフロートは前記第３のフレーム部材の下方に位置し、前記他方のフロートは前記第４のフレーム部材の下方に位置してなるとともに、前記第１のフレーム部材の外側面と第２のフレーム部材の外側面には、それぞれ他の組立式浮き桟橋と連結するための接続片が形成されてなることを特徴とするものである。
【００１５】
この第４の発明では、前記第１のフレーム部材の外側面と第２のフレーム部材の外側面には、それぞれ他の組立式浮き桟橋と連結するための接続片が形成されてなることから、こうした構成に係る複数の組立式浮き桟橋を複数用意し、特定の組立式浮き桟橋を構成する上記第１のフレーム部材に形成された連結片と、他の組立式浮き桟橋を構成する第２のフレーム部材に形成された連結片とを互いに連結させることにより、複数の組立式浮き桟橋を連結させることができる。
【発明の効果】
【００１６】
上記第１の発明（請求項１記載の発明）に係る組立式浮き桟橋によれば、複数枚の踏板は、それぞれ一端が上記第１のフレーム部材の内側に形成された第１の踏板挿入支持部内に挿入され、他端は上記第２のフレーム部材の内側に形成された第２の踏板挿入支持部内に挿入されて支持されてなり、前述した特許文献１や特許文献２に係る組立式浮き桟橋のように、踏板（フロアパネル）がスクリュー釘やボルトとナットを使用して固定されているものではないことから、組立作業時間を大幅に短縮することができるとともに、分解することも可能となるばかりか、該分解作業を極めて簡単かつ迅速に行うことができる。
【００１７】
また、上記第２の発明（請求項２記載の発明）に係る組立式浮き桟橋では、では、フレームは、第１ないし第４のフレーム部材を備えてなるとともに、一方及び他方のフロートは、上記第１又は第２のフレーム部材若しくは第３又は第４のフレーム部材よりも一部が外側に位置してなることから、水上に浮かせた場合において安定性を向上させることができる。
【００１８】
また、上記第３の発明（請求項３記載の発明）に係る組立式浮き桟橋では、それぞれ円柱状に成形された一方及び他方のフロートは、上記水平支軸を中心に回転可能とされてなることから、地上で組み立てた組立式浮き桟橋を水上まで移動させる際、或いは、水上に設置した該組立式浮き桟橋を地上に移動させる際、地上に支持された一方及び他方のフロートは、例えば上記フレームを海又は池若しくは川方向又はその逆方向に押圧すると、地面（例えば、砂浜、堤防等）上を転動することとなり、多数の作業人員を要することなく移動させることが可能となる。
【００１９】
また、上記第４の発明（請求項４記載の発明）に係る組立式浮き桟橋では、上記第１のフレーム部材に形成された連結片と、他の組立式浮き桟橋を構成する第２のフレーム部材に形成された連結片とを互いに連結させることにより、複数の組立式浮き桟橋を連結させることができ、大型の船を係留することができる組立式浮き桟橋とすることができる。
【図面の簡単な説明】
【００２０】
【図１】発明の実施の形態に係る組立式浮き桟橋の平面図である。
【図２】図１に示す組立式浮き桟橋の断面を拡大した要部を示す正断面図である。
【図３】図１に示す組立式浮き桟橋の左側面図である。
【図４】図１に示す組立式浮き桟橋の右側面を拡大した要部を示す拡大右側面図である。
【図５】図１に示す組立式浮き桟橋の右側面図である。
【図６】図１に示す組立式浮き桟橋の底面図である。
【図７】図１に示す組立式浮き桟橋のＡ−Ａ線断面図である。
【図８】図１に示す組立式浮き桟橋の正面図である。
【図９】図１に示す組立式浮き桟橋を二つ接続した状態を示す正面図である。
【発明を実施するための形態】
【００２１】
以下、本発明を実施するための最良の形態に係る組立式浮き桟橋１を、図面を参照しながら詳細に説明する。
【００２２】
この実施の形態に係る組立式浮き桟橋（以下、浮き桟橋と言う。）１は、図１に示すように、第１ないし第４のフレーム部材２・・・５と、これら第１ないし第４のフレーム部材２・・・５の内側に配置された複数の踏板６と、上記第３のフレーム部材４の下方に配置された第１及び第２のフロート７，８と、上記第３のフレーム部材４の下方に配置された第３及び第４のフロート９，１０とを備えている。なお、上記第１及び第２のフロート７，８は、本発明を構成する一方のフロートであり、上記第３及び第４のフロート９，１０は本発明を構成する他方のフロートである。
【００２３】
上記第１ないし第４のフレーム部材２・・・５は、本発明を構成するフレーム（符号は省略する。）であり、いずれも耐腐食性の金属から構成されている。そして、上記第１のフレーム部材２及び第２のフレーム部材３は、図１に示すように、互いに平行に配置されてなるとともに、後述するフレーム本体（符号は省略する。）に接続片や接続片が固定（溶接）されてなるものである。すなわち、第１のフレーム部材２を構成するフレーム本体は、この浮き桟橋１の左側面を形成する長方形状の側板部２ａと、上板部２ｂ及び下板部２ｃと、この上板部２ｂの内側端から垂下してなる垂下板部２ｄと、上記下板部２ｃの内側端から上方に起立してなるとともに上端が上記垂下板部２ｄの下端と対向してなる起立板部２ｅとから構成され、これら垂下板部２ｄと起立板部２ｅとの間は、第１の踏板挿入支持部２ｆとされている。そして、この実施の形態に係る浮き桟橋１では、後述する各踏板６の左端側の下面を支持するＬ字状の支持アングル１３が上記起立板部２ｅの内側面に溶接されている。また、上記第１のフレーム部材２を構成する側板部２ａの一端側中途部には、図１に示すように、第１の水平接続片２１が形成され、他端側中途部には第２の水平接続片２２が形成されている。これら第１及び第２の水平接続片２１,２２は、上記側板部２ａから垂直に突出した状態で形成されてなるとともに、該第１及び第２の水平接続片２１,２２上面の中心から側板部２ａには、それぞれ補強用リブ２１ａ，２２ａが形成されている。なお、上記第１及び第２の水平接続片２１,２２の左右両側には、図示しないボルトが挿通される挿通穴（符号は省略する。）が穿設されている。
【００２４】
また、上記第１のフレーム部材２を構成する上板部２ｂの一端の上面には、図１又は図３に示すように、第１の連結片２３の基端側が固定され、他端の上面には、第２の連結片２４の基端側が固定され、該第１及び第２の連結片２３，２４の先端側中途部には、それぞれボルトが挿通されるボルト挿通穴（符号は省略する。）が形成されている。また、上記第１のフレーム部材２を構成する下板部２ｃの一端の下面には、図３に示すように、第３の連結片２５の基端側が固定され、他端の下面には、第４の連結片２６の基端側が固定されており、該第３及び第４の連結片２５，２６の先端側中途部には、それぞれボルトが挿通されるボルト挿通穴（符号は省略する。）が形成されている。
【００２５】
また、上記第２のフレーム部材３も上記第１のフレーム部材２と同様に、後述するフレーム本体（符号は省略する。）に水平接続片や接続片が固定（溶接）されてなるものである。すなわち、第２のフレーム部材３を構成するフレーム本体は、図２に示すように、上記第１のフレーム部材２と同様の側板部３ａと、上板部３ｂ及び下板部３ｃと、垂下板部３ｄと、起立板部３ｅとから構成され、該垂下板部３ｄと起立板部３ｅとの間は、第２の踏板挿入支持部３ｆとされている。そして、この実施の形態に係る浮き桟橋１では、後述する各踏板６の右端側の下面を支持するＬ字状の支持アングル１４が上記起立板部３ｅの内側面に溶接されている。また、この第２のフレーム部材３を構成する側板部３ａの一端側中途部には、図１に示すように、第３の水平接続片３１が形成され、他端側中途部には第４の水平接続片３２が形成されている。これら第３及び第４の水平接続片３１,３２は、上記側板部３ａから垂直に突出した状態で成形されてなるとともに、図４又は図５に示すように、該第３及び第４の水平接続片３１,３２下面の中心から側板部３ａには、それぞれ補強用リブ３１ａ，３２ａが形成されている。なお、上記第１のフレーム部材２に形成された第１及び第２の水平接続片２１，２２と、上記第２のフレーム部材３に形成された第３及び第４の水平接続片３１，３２との左右両側には、それぞれ図示しない接続用のボルトが挿通される挿通孔（符号は省略する。）が穿設されており、また、該第３及び第４の接続片３１，３２の上面の位置は、第１及び第２の接続片２１，２２の下面の位置とされている。
【００２６】
また、上記第２のフレーム部材３を構成する上板部３ｂの一端の上面には、図４又は図５に示すように、第５の連結片３５の基端側が固定され、他端の上面には、第６の連結片３６の基端側が固定されており、該第５及び第６の連結片３５，３６の先端側中途部には、それぞれナットに螺着されるボルトが挿通されるボルト挿通穴（符号は省略する。）が形成されている。また、この第２のフレーム部材２を構成する下板部３ｃの一端の下面には、図５に示すように、第７の連結片３７の基端側が固定され、他端の下面には、第８の連結片３８の基端側が固定されており、該第７及び第８の連結片３７，３８の先端側中途部には、それぞれボルトが挿通されるボルト挿通穴（符号は省略する。）が形成されている。
【００２７】
また、上記第３のフレーム部材４と第４のフレーム部材５とは、互いに対称形状に成形されてなるものであり、後述するフレーム本体（符号は省略する。）に垂直接続片やフック等が固定されてなるものである。すなわち、この第３フレーム部材４を構成するフレーム本体は、図４に示すように、この浮き桟橋１の背面を形成する長方形状の側板部４ａと、上板部４ｂ及び下板部４ｃと、この上板部４ｂの内側端から垂下してなる垂下板部４ｄと、上記下板部４ｃの内側端から上方に起立してなるとともに上端が上記垂下板部４ｄの下端と対向してなる起立板部４ｅとから構成され、これら垂下板部４ｄと起立板部４ｅとの間は、第３の踏板挿入支持部４ｆとされている。
【００２８】
そして、図１に示すように、上記側板部４ａの一端には、方形状に成形された第１の垂直接続片４１の基端側が該側板部４ａに固定されたスペーサ４２を介して固定され、他端には、方形状に成形された第２の垂直接続片４３の基端側が（スペーサ無しに）固定されている。なお、上記第１及び第２の垂直接続片４１，４３には、ナットに螺着されるボルトが挿通される挿通穴が穿設されている。また、上記側板部４ａの上板部４ｂの左右両端側中途部には、図１に示すように、第１のフック４５と第２のフック４６とが着脱可能に取り付けられている。また、この第３のフレーム部材４を構成する下板部４ｃの中央には、図６に示すように、第１の支持金具４７の基端が溶接されており、この第１の支持金具４７の中途部には、後述する中間支持フレーム部材の一端側と該第１の支持金具４７とを固定するボルト（符号は省略する。）を挿通する図示しない挿通孔が穿設されている。
【００２９】
また、上記第４のフレーム部材５は、上記第３のフレーム部材４と対称形状に成形されてなるものであって、後述するフレーム本体（符号は省略する。）に垂直接続片やフック等が固定されてなるものである。すなわち、この第４フレーム部材５を構成するフレーム本体は、図４に示すように、この浮き桟橋１の正面を形成する長方形状の側板部５ａと、上板部５ｂ及び下板部５ｃと、垂下板部５ｄ及び起立板部５ｅとから構成され、これら垂下板部５ｄと起立板部５ｅとの間は、第４の踏板挿入支持部５ｆとされている。
【００３０】
そして、図１に示すように、上記側板部５ａの一端には、方形状に成形された第３の垂直接続片５１の基端側が（スペーサ無しに）固定され、他端には、該側板部４ａに固定されたスペーサ５２を介して方形状に成形された第４の垂直接続片５３の基端側が固定されている。なお、上記第３及び第４の垂直接続片５１，５３には、ナットに螺着されるボルトが挿通される挿通穴が穿設されている。また、上記側板部５ａの上板部５ｂの左右両端側中途部には、図１に示すように、第３のフック５５と第４のフック５６とが着脱可能に取り付けられている。また、この第４のフレーム部材５を構成する下板部５ｃの中央には、図６に示すように、第２の支持金具５７の基端が溶接されており、この第２の支持金具５７の中途部には、後述する中間支持フレーム部材の他端側と該第２の支持金具５７とを固定するボルト（符号は省略する。）を挿通する図示しない挿通孔が穿設されている。
【００３１】
そして、第３のフレーム部材４を構成する下板部４ｃの左端には、第１の吊り金具１２の上端が固定され、上記下板部４ｃの中途部であって上記第１の支持金具４７の固定位置よりも左側には、第２の吊り金具１３の上端が固定されている。また、上記下板部４ｃの中途部であって上記第１の支持金具４７の固定位置よりも右側の中途部には、第３の吊り金具１４の上端が固定され、上記下板部４ｃの右端には、第４の吊り金具１５の上端が固定されている。また、上記第４のフレーム部材５を構成する下板部５ｃの左端には、図６に示すように、第５の吊り金具１６の上端が固定され、上記下板部５ｃの中途部であって上記第２の支持金具５７の固定位置よりも左側には、第６の吊り金具１７の上端が固定されている。また、上記下板部５ｃの中途部であって上記第２の支持金具５７の固定位置よりも右側の中途部には、第７の吊り金具１８の上端が固定され、上記下板部５ｃの右端には、第８の吊り金具１９の上端が固定されている。これら第１ないし第８の吊り金具１２・・・１９は、それぞれ同一の形状からなり、図２に示す第５の吊り金具１６のように、（第３の）フレーム部材４の下面に要請されたスペーサ（符号は省略する。）にボルトを介して固定される短尺の固定板部１６ａと、この固定板部１６ａの一端から垂下してなる長尺の垂下板部１６ｂとから構成され、該垂下板部１６ｂの下端側中途部には、後述する水平支軸が挿通された貫通孔（符号は省略する。）が穿設されている。すなわち、上記第１の吊り金具１２の垂下板部と第２の吊り金具１３の垂下板部とは互いに対向してなり、上記第３の吊り金具１４の垂下板部と第４の吊り金具１５の垂下板部とは互いに対向し、また、上記第５吊り金具１６の垂下板部１６ｂと第６の吊り金具１７の垂下板部１７ｂとは互いに対向し、第７の吊り金具１８の垂下板部１８ｂと第８の吊り金具１９の垂下板部１９ｂとは互いに対向している。
【００３２】
そして、上記第１の吊り金具１２の垂下板部に形成された貫通孔から第２の吊り金具１３の垂下板部に穿設された貫通孔には、図示しない第１の水平支軸が挿通され、上記第３の吊り金具１４の垂下板部に穿設された貫通孔から第４の吊り金具１５の垂下板部に穿設された貫通孔には、図示しない第２の水平支軸が挿通され、また、上記第５吊り金具１６の垂下板部１６ｂに穿設された貫通穴から第６の吊り金具１７の垂下板部１７ｂに穿設された貫通穴には、図７に示すように、第３の水平支軸６１が挿通され、上記第７の吊り金具１８の垂下板部１８ｂに穿設された貫通穴から第８の吊り金具１９の垂下板部１９ｂに穿設された貫通穴には、第４の水平支軸６２が挿通されている。なお、上記図示しない第１及び第２の水平支軸は、それぞれ図７に示す第３及び第４の水平支軸６１，６２と同じように、一端は上記貫通穴からの抜け止めを防止するための折曲部６１ａ，６２ａが形成され、他端には抜け止め用のナット（符号は省略する。）が螺着されている。
【００３３】
そして、上記第１の水平支軸には、前記第１のフロート７が回転自在に支持され、第２の水平支軸には、前記第２のフロート８が回転自在に支持され、第３の水平支軸６１には図７に示すように、前記第３のフロート９が回転自在に支持され、第４の水平支軸６２には、前記第４のフロート１０が回転自在に支持されている。これら第１ないし第４のフロート７・・・９は、発泡スチロール等のように水に比べて比重が軽い素材からなるものであって、図７又は図８に示すように、略円筒状に成形されてなるものであって、長さ方向の中心には、上記第１ないし第４の水平支軸６１，６２が挿通された貫通孔９ａ，１０ａが形成されている。なお、上記第１ないし第４のフロート７・・・９には、図示しない保護カバーが装着されている。
【００３４】
そして、この浮き桟橋１は、上記第１のフレーム部材２の一端と、上記第３のフレーム４の一端（図１中左端）とは、図３に示すように、該第１のフレーム部材２に固定された第１の連結片２３と第３の連結片２５との間に挿通された該第３のフレーム部材４の一端とがボルトＢ及びナットＮにより固定され、上記第１のフレーム部材２の他端と、上記第４のフレーム５の一端（図１中左端）とは、該第１のフレーム部材２に固定された第２の連結片２５と第４の連結片２６との間に挿通された該第３のフレーム部材４の一端とがボルトＢ及びナットＮによりにより固定されている。また、上記第２のフレーム部材３の一端と、上記第３のフレーム４の他端（図１中右端）とは、図５に示すように、該第２のフレーム部材３に固定された第５の連結片３６と第７の連結片３８との間に挿通された該第３のフレーム部材４の他端とがボルトＢ及びナットＮにより固定され、上記第２のフレーム部材３の他端と、上記第４のフレーム５の他端（図１中右端）とは、該第２のフレーム部材３に固定された第６の連結片３５と第８の連結片３７との間に挿通された該第３のフレーム部材４の他端とがボルトＢ及びナットＮによりにより固定されている。
【００３５】
そして、上記第３のフレーム部材４と第４のフレーム部材５とは、図６に示すように、中間支持フレーム１１により接続されている。この中間支持フレーム部材１１は、上記第１ないし４のフレーム部材２・・・４と同じ素材により、底面形状が長方形状に成形されてなるものであって、一端は上記第１の支持金具４７の上面にボルトＢ及びナットＮにより固定されてなり、他端は上記第２の支持金具５７の上面にボルトＢ及びナットＮにより固定されている。また、この中間支持フレーム１１は、図７に示すように、下面板部１１ａと、この下面板部１１ａの左右両側から起立してなる起立板部１１ｂ，１１ｃと、これら起立板部１１ｂ，１１ｃの上端から互いに先端が対向するようにＬ字状に折曲され上面で前記複数の踏板６の下面を支持する支持板部（符号は省略する。）とから構成されている。
【００３６】
そして、上記複数の（８枚）踏板６は、それぞれの一端が第１のフレーム部材２に形成された上記第１の踏板挿入支持部２ｆ内に挿入され、それぞれの他端は第２のフレーム部材３に形成された第２の踏板挿入支持部３ｆ内に挿入された状態で支持されているとともに、中心位置では、上記中間支持フレーム１１により支持されている。
【００３７】
したがって、上述した実施の形態に係る浮き桟橋１によれば、複数枚の踏板６は、上記第１ないし第４のフレーム部材２・・・４に対して釘等を一切使用していないことから、容易に組み立てることが可能であるばかりか、組み立てた浮き桟橋１を分解する場合であっても、極めて容易に行うことが可能となる。また、この実施の形態に係る浮き桟橋１では、上記第１及び第２のフロート７，８は、上記第１のフレーム部材２よりも側方に露出しており、また、上記第３及び第４のフロート９，１０は、上記第２のフレーム部材３よりも側方に露出していることから、極めて安定性が良好となり、上記踏板６上に偏って使用者等の荷重が作用した場合であっても不用意に傾いたり転倒・反転したりする等の危険性を有効に回避することができる。
【００３８】
さらに、この実施の形態に係る浮き桟橋１では、上記第１ないし第４のフロート７・・・１０は、上記第１ないし第４の水平支軸６１，６２に対して回転可能に支持されてなることから、地上で組み立てたこの浮き桟橋１を水上まで移動させる際や、水上に設置した該浮き桟橋１を地上に移動させる際においても、上記第１ないし第４のフロート７・・・１０は、例えば上記第３又は第４のフレーム４，５を海又は池若しくは川方向又はその逆方向に押圧すると、地面（例えば、砂浜、堤防等）上を転動することとなる。したがって、この完成したこの浮き桟橋１を水上に浮かべる際や水上に浮かせた浮き桟橋１を地上で分解させるために地上を移動させる際、多数の作業人員を要しない。
【００３９】
特に、この実施の形態に係る浮き桟橋１では、上記第１のフレーム部材２には、それぞれ第１及び第２の水平接続片２１,２２が固定され、第２のフレーム部材３には、それぞれ第３及び第４の水平接続片３１,３２が固定され、さらに、上記第３のフレーム部材４には、第１及び第２の垂直接続片４１，４３が、第４のフレーム部材５には、第３及び第４の垂直接続片５１，５３がそれぞれ固定されていることから、上記第１の水平接続片２１と第３の水平接続片３１とを、また第２の水平接続片２２と第４の水平接続片３２とをそれぞれ図示しないボルト及びナットにより接続するとともに、上記第１の垂直接続片４１と第３の垂直接続片４３とを、また第２の垂直接続片５１と第４の垂直接続片５３とをそれぞれ図示しないボルト及びナットにより接続することにより、図９に示すように、第３及び第４のフレーム部材３，４の長さ方向に複数の浮き桟橋１，１を接続することができ、より大きな浮き桟橋とすることが可能となる。
【００４０】
なお、上記実施の形態に係る浮き桟橋１では、本発明を構成する一方のフロートと他方のフロートをそれぞれ２つずつ構成要素としたものを図示して説明したが、これらのフロートは一方及び他方のフトートがそれぞれ１つずつであっても良いし、３つ以上であっても良い。また、上述した第１ないし第４のフロート７・・・１０には、それぞれ貫通孔９ａ，１０ａを形成し、それぞれに水平支軸を挿通したものを説明したが、本発明は、上記各フロート７・・・１０（ないし一方及び他方のフロート）の左右両側に図示しない凹部を設け、これらの凹部内に水平支軸の先端側を挿入することにより該各フロート７・・・１０（ないし一方及び他方のフロート）を回転自在に支持したものであっても良い。
【符号の説明】
【００４１】
１  組立式浮き桟橋
２  第１のフレーム部材
２ｆ  第１の踏板挿入支持部
３  第２のフレーム部材
３ｆ  第２の踏板挿入支持部
４  第３のフレーム部材
４ｆ  第３の踏板挿入支持部
５  第４のフレーム部材
５ｆ  第４の踏板挿入支持部
６  踏板
７  第１のフロート
８  第２のフロート
９  第３のフロート
９ａ  貫通孔
１０  第４のフロート
１０ａ  貫通孔
２１  第１の水平接続片
２２  第２の水平接続片
３１  第３の水平接続片
３２  第４の水平接続片
４１  第１の垂直接続片
４３  第２の須直接続片
５１  第３の垂直接続片
５３  第４の垂直接続片
【図１】
2011241601.tif 000003
【図２】
2011241601.tif 000004
【図３】
2011241601.tif 000005
【図４】
2011241601.tif 000006
【図５】
2011241601.tif 000007
【図６】
2011241601.tif 000008
【図７】
2011241601.tif 000009
【図８】
2011241601.tif 000010
【図９】
2011241601.tif 000011